(57)【特許請求の範囲】
【請求項１】
土砂の崩壊防止用に地山の斜面等に沿って構築されたコンクリート製の擁壁の植栽方法であって、
埋込みパネルを上下，左右に連続配置させた埋込み堰板と、表面に化粧模様を有するとともに適宜位置にプランター収容溝を有するプランター収容パネルを上下，左右に連続配置させるかもしくは、前記プランター収容パネルと表面に化粧模様を有する化粧パネルとを適宜上下，左右に連続配置させた化粧堰板とを所定間隔で相対させるとともに、化粧堰板と埋込み堰板との間を連結金具で連結し、化粧堰板と埋込み堰板との間にコンクリートを打設して化粧堰板と埋込み堰板とを埋め殺しにした擁壁を構築し、擁壁の化粧堰板の表面に設けられたプランター収容溝に草木が植栽されたプランターを交換可能に配置して、プランターを適宜期間で交換して擁壁に植栽できることを特徴とする擁壁の植栽方法。
【請求項２】
土砂の崩壊防止用に地山の斜面等に沿って構築されたコンクリート製の擁壁であって、
プレキャストコンクリート埋込みパネル（以下ＰＣ埋込みパネルとする）が上下，左右に連続配置されて連結部材で連結された埋込み堰板と、
表面に化粧模様とプランター収容溝が設けられるとともに背面に固定部材が取り付けられたプランター収容パネルが上下，左右に連続配置されるかもしくは、前記プランター収容パネルと表面に化粧模様が施され背面に固定部材が取り付けられた化粧パネルとが適宜上下，左右に連続配置された化粧堰板とが所定間隔で相対させられているとともに、化粧堰板と埋込み堰板との間が連結金具で連結され、化粧堰板と埋込み堰板との間にコンクリートが打設されて両者が埋め殺しにされて一体となっているとともに、擁壁の化粧堰板の表面に設けられたプランター収容溝に草木を植栽したプランターが交換可能に配置されていることを特徴とする植栽可能な擁壁。
【請求項３】
土砂の崩壊防止用に地山の斜面等に沿って構築されたコンクリート製の擁壁であって、
網目開口がコンクリートの流出防止形状である金網からなる金網埋込みパネルが上下，左右に連続配置されて連結部材で連結された埋込み堰板と、
表面に化粧模様とプランター収容溝が設けられるとともに背面に固定部材が取り付けられたプランター収容パネルが上下，左右に連続配置されるかもしくは、前記プランター収容パネルと表面に化粧模様が施され背面に固定部材が取り付けられた化粧パネルとが適宜上下，左右に連続配置された化粧堰板とが所定間隔で相対させられているとともに、化粧堰板と埋込み堰板との間が連結金具で連結され、化粧堰板と埋込み堰板との間にコンクリートが打設されて両者が埋め殺しにされて一体となっているとともに、擁壁の化粧堰板の表面に設けられたプランター収容溝に草木を植栽したプランターが交換可能に配置されていることを特徴とする植栽可能な擁壁。
【請求項４】
プランター収容パネルと化粧パネルは、コンクリート、レジンコンクリート、繊維強化プラスチック（以下ＦＲＰとする）、ガラス繊維補強セメント（以下ＧＲＣとする）から選ばれた１種より一層に若しくは２種以上より二層以上に形成されている請求項２または３に記載の植栽可能な擁壁。
【請求項５】
請求項２に記載のＰＣ埋込みパネルは、コンクリート、レジンコンクリート、ＦＲＰ、ＧＲＣから選ばれた１種より略長方形に形成され、ＰＣ埋込みパネルの上下２辺側と、左右２辺側とにそれぞれ鉄筋固定用部材がその凹凸が逆となる関係に設けられている植栽可能な擁壁。
【請求項６】
プランター収容溝に設けられるプランターが、発泡性樹脂で形成されている請求項２または３に記載の植栽可能な擁壁。
【請求項７】
埋込み堰板の背面の複数箇所に設けられた排水孔に接続される水抜きパイプが擁壁内に上下方向に配置され、化粧堰板の表面のプランター収容溝付近に給水口が設けられ、水抜きパイプの任意位置と、化粧堰板の表面のプランター収容溝付近に設けられた給水口とがパイプを介して接続されて、擁壁の背面に溜まった雨水などを化粧堰板のプランター収容溝に設けられたプランターに給水できることを特徴とする請求項２または３に記載の植栽可能な擁壁。
【発明の詳細な説明】
【０００１】
【発明の属する技術分野】
本発明の擁壁の植栽方法と植栽可能な擁壁は、切土あるいは盛土などによる地山の斜面等の土の崩壊を防止する擁壁への植栽方法と、植栽可能な擁壁とに関する。
【０００２】
【従来の技術】
通常、切土や盛土などをして設けられた地山の斜面には、地山の斜面に沿って予め基礎コンクリートを打設しておき、その基礎コンクリート部分に２枚の堰板をセパレータを介して所定間隔（形成する擁壁の幅に対応させた間隔）を開けて設けた型枠に、コンクリートを打設して形成された擁壁を設けて斜面の崩壊を防止している。
上記の擁壁の表面には、必要に応じて凹溝が設けられ、凹溝に草木が植栽されて周囲の景観との間にコンクリートが露出して生じる違和感を少なくしている。
【０００３】
【発明が解決しようとする課題】
しかし、上記の擁壁の溝に草木を植栽するには、擁壁の構築後、擁壁の表面の凹部に植栽用のベース（土や腐葉土など）を入れて草木を植栽しているので施工期間が長くなるという問題があった。植栽された草木が根付かずに枯れてしまった場合や、草木を別のものに交換したい場合には、その交換に手間がかかっていた。また、コンクリート製の擁壁は、擁壁が太陽熱で暖められて、擁壁の溝内の土が乾燥しやすくなり植栽された草木が枯れやすいという問題があった。
また、擁壁の表面に凹溝を設けるには型枠の組み立てが面倒であるし、従来の型枠はコンクリートが硬化した後に型枠を解体する必要があり手間のかかるものであった。また、コンクリート打設用型枠の堰板として、パネル状のコンクリートなどを単独で使用したものがあるが、片側に設けられる堰板は通常の解体を要するものであり、両者を連結して型枠の解体を不要にしたものは知られていない。
【０００４】
そこで、本発明の擁壁の植栽方法と植栽可能な擁壁は、擁壁の表面に設けられたプランター設置用のプランター収容溝に、草木が植栽されたプランターを交換可能に配置して、草木の植栽や交換を迅速に行なうことができるとともに、適宜期間で擁壁に植栽される草木を変えることができる擁壁の植栽方法を提供することを目的とする。また、コンクリート打設後に型枠の解体作業を要しないとともに、草木の植栽や交換を迅速に行なうことができる植栽可能な擁壁を提供することを目的とするとともに、埋込み堰板の強度の向上と、擁壁の表面強度の向上や美観の向上を図り、コンクリート打設用型枠の強度を向上させた植栽可能な擁壁を提供することを目的とする。また、断熱性のあるプランターを使用して、土の乾燥を防ぐようにした植栽可能な擁壁を提供することを目的とするとともに、
擁壁の背面に溜まった雨水などを排水する水抜きパイプからの水を擁壁の表面に配置されたプランターに給水できるようにした植栽可能な擁壁を提供することを目的とする。
【０００５】
【課題を解決するための手段】
本発明の擁壁の植栽方法と植栽可能な擁壁は、土砂の崩壊防止用に地山の斜面等に沿って構築されたコンクリート製の擁壁の植栽方法であって、埋込みパネルを上下，左右に連続配置させた埋込み堰板と、表面に化粧模様を有するとともに適宜位置にプランター収容溝を有するプランター収容パネルを上下，左右に連続配置させるかもしくは、前記プランター収容パネルと表面に化粧模様を有する化粧パネルとを適宜上下，左右に連続配置させた化粧堰板とを所定間隔で相対させるとともに、化粧堰板と埋込み堰板との間を連結金具で連結し、化粧堰板と埋込み堰板との間にコンクリートを打設して化粧堰板と埋込み堰板とを埋め殺しにした擁壁を構築し、擁壁の化粧堰板の表面に設けられたプランター収容溝に草木が植栽されたプランターを交換可能に配置して、プランターを適宜期間で交換して擁壁に植栽できるようにして、草木の植栽や交換を迅速に行なうとともに、適宜期間で擁壁に植栽される草木を交換できるようにした。
【０００６】
また、土砂の崩壊防止用に地山の斜面等に沿って構築されたコンクリート製の擁壁であって、ＰＣ埋込みパネルを上下，左右に連続配置して連結部材で連結した埋込み堰板と、表面に化粧模様とプランター収容溝を設けるとともに背面に固定部材を取り付けたプランター収容パネルを上下，左右に連続配置するかもしくは、前記プランター収容パネルと表面に化粧模様を施し背面に固定部材を取り付けた化粧パネルとを適宜上下，左右に連続配置した化粧堰板とを所定間隔で相対させるとともに、化粧堰板と埋込み堰板との間を連結金具で連結し、化粧堰板と埋込み堰板との間にコンクリートを打設して両者が埋め殺しにされて一体となっているとともに、擁壁の化粧堰板の表面に設けられたプランター収容溝に草木を植栽したプランターを交換可能に配置して、コンクリート打設後に型枠の解体作業を要しないとともに、プランターを適宜期間で交換できるとともに、草木の植栽や交換を迅速に行なうことができるようにした。埋込み堰板は、網目開口がコンクリートの流出防止形状である金網からなる金網埋込みパネルを、上下，左右に連続配置させて連結部材で連結して形成してもかまわない。
【０００７】
プランター収容パネルと化粧パネルを、コンクリート、レジンコンクリート、ＦＲＰ、ＧＲＣから選ばれた１種より一層に若しくは２種以上より二層以上に形成し、埋込み堰板を形成しているＰＣ埋込みパネルを、コンクリート、レジンコンクリート、ＦＲＰ、ＧＲＣから選ばれた１種より形成するようにして、擁壁の表面強度の向上や美観の向上を図ることができるようにした。
埋込み堰板のＰＣ埋込みパネルは、コンクリート、レジンコンクリート、ＦＲＰ、ＧＲＣから選ばれた１種より略長方形に形成され、ＰＣ埋込みパネルの上下２辺側と、左右２辺側とにそれぞれ鉄筋固定用部材をその凹凸が逆となる関係に設けて、埋込み堰板の強度を向上させるとともに、連結部材を容易に係止できるようにした。
【０００８】
また、プランター収容溝に設けられるプランターは、発泡性樹脂で形成して、擁壁のコンクリートに蓄積される熱を遮断してプランター内部の土が乾燥しにくいようにした。
さらに、埋込み堰板の背面の複数箇所に設けられた排水孔に接続される水抜きパイプを擁壁内に上下方向に配置し、化粧堰板の表面のプランター収容溝付近に給水口を設け、水抜きパイプの任意位置と、化粧堰板の表面のプランター収容溝付近に設けられた給水口とをパイプを介して接続して、擁壁の背面に溜まった雨水などを化粧堰板のプランター収容溝に設けられたプランターに給水できるようにした。
【０００９】
【発明の実施の形態】
本発明の擁壁の植栽方法と植栽可能な擁壁の実施の形態を図１〜図６により説明する。
切土や盛土などをして設けられた地山の斜面に構築されるコンクリート製の植栽可能な擁壁を施工するコンクリート打設用の型枠Ａは、擁壁の基礎コンクリート５０の地山の斜面側の基部に埋込み堰板２が起立させられているとともに、埋込み堰板２から所定間隔離した相対する位置の基礎コンクリート５０上に、その表面の適宜位置にプランター収容溝２１を有する化粧堰板３が起立させられており、埋込み堰板２と化粧堰板３とが連結金具４で連結されて両堰板が連結されているとともに、両堰板の間隔が所定間隔に保持されている。ところで、基礎コンクリート５０と擁壁とを同時に施工するときは、両堰板を基礎コンクリート５０用の鉄筋５０ａに固定するようにする。
なお、型枠Ａにコンクリートを打設し、コンクリートの養生後、化粧堰板３のプランター収容溝２１内に、草木などが植栽されたプランター７が配置される。プランター７は、例えば断熱性のよい発泡性樹脂で形成されており、化粧堰板３に蓄積される太陽熱などを遮断してプランター７内の土の乾燥を防ぐことができるようになっており、草木の植栽に好もしいものとなっている。発泡性樹脂としては、熱可塑性樹脂の発泡体が好ましく、特にポリスチレン発泡体，ポリオレフィン発泡体が好ましい。
【００１０】
基礎コンクリート５０の斜面側に起立させられた埋込み堰板２は、ＰＣ埋込みパネル１０を上下，左右に連続配置させるとともに、連結部材１３で連結されて構成されている。各ＰＣ埋込みパネル１０を連結している連結部材１３は、例えば、ＰＣ埋込みパネル１０のコンクリート打設面の周縁部に設けられた略山形に湾曲させた鉄筋保持部１４ａを有する固定金具１４と、固定金具１４に係止される格子状に配置した鉄筋１６とからなっている。また、ＰＣ埋込みパネル１０を連結している格子状の鉄筋１６の縦方向の鉄筋１７の下端が、基礎コンクリート５０から突出させられている連結鉄筋１１０に溶接などにより固定するようにして、コンクリート打設用型枠の強度を向上させるようにしている。
なお、連結部材１３は、固定金具１４に格子状の鉄筋１６を係止しているが、上下，左右に連続配置されたパネルを連結できればよくこれに限定されるものではない。
【００１１】
図２に示すように、埋込み堰板２を構成しているＰＣ埋込みパネル１０は、コンクリート打設面に凹部１０ａを有する略長方形状のＰＣ（プレキャストコンクリート）板で、コンクリート打設面の上下の相対する２辺側の縁部に、互いに相対させた３対の溝部１０ｂが設けられており、３対の各溝部１０ｂに固定金具１４の鉄筋保持部１４ａの湾曲部を嵌合させて、相対した固定金具１４で格子状に設けられた鉄筋１６の縦方向の鉄筋１７を保持できるようになっている。
【００１２】
また、ＰＣ埋込みパネル１０のコンクリート打設面の左右の相対する２辺側の縁部に、４つの固定金具１４を互いに相対させて２列に配置するとともに、固定金具１４の湾曲した鉄筋保持部１４ａを辺部から突出させるようにして（上記溝部１０ｂに設けられた固定金具１４とはその凹凸が逆となるように）設け、相対した固定金具１４の鉄筋保持部１４ａで縦方向の鉄筋１７と直交する横方向の鉄筋１８を保持して、鉄筋１８をＰＣ埋込みパネル１０のコンクリート打設面の辺部に係止することができるようになっている。なお、ＰＣ埋込みパネル１０の左右の相対する２辺側の縁部の固定金具１４が設けられる位置には、図２（ｂ）に示すように、係止金具１５が設けられており、固定金具１４をボルトなどによりＰＣ埋込みパネル１０の縁部に係止することができるようになっている。また、固定金具１４はＰＣ埋込みパネル１０の辺部に直接係止させるようにしてもよい。
【００１３】
縦方向の鉄筋１７は、横方向の鉄筋１８によってＰＣ埋込みパネル１０側に押し付けられて固定金具１４により保持されているが、各固定金具１４に縦方向の鉄筋１７を保持させた状態で、各固定金具１４に平板を設けて鉄筋１７をＰＣ埋込みパネル１０の辺部に係止するようにしてもかまわない。また、ＰＣ埋込みパネル１０の縦方向の鉄筋１７を保持している固定金具１４を設ける代わりに、ＰＣ埋込みパネル１０の製作時に溝部１０ｂを鉄筋１７を嵌合させるような形状の嵌合穴に形成してもかまわない。
ＰＣ埋込みパネル１０のコンクリート打設面に設けられた凹部１０ａは、ＰＣ埋込みパネル１０の重量を軽くすることができるとともに、その深さを調節することによって鉄筋１６のかぶり厚を調整することができる。
【００１４】
ＰＣ埋込みパネル１０の相対する側面の対向する位置には、連結突起１１と嵌合孔１２が設けられて、複数のＰＣ埋込みパネル１０で埋込み堰板２を構築する際に各ＰＣ埋込みパネル１０が強く連結できるようになっている。
なお、ＰＣ埋込みパネル１０の形状は略長方形状に限るものではなく、平面略Ｈ形状などに形成することも可能である。また、ＰＣ埋込みパネル１０は、コンクリート、レジンコンクリート、ＦＲＰ、ＧＲＣから選ばれた１種により形成することができ、あらかじめ工場などで成形されて寸法精度の向上などが図られるようになっている。
【００１５】
埋込み堰板２から所定間隔を開けた基礎コンクリート５０上に相対して起立させられている化粧堰板３は、コンクリート打設面とは反対側に、プランター７を設置するプランター収容溝２１を有し、コンクリート打設面の埋込み堰板２と対向する面に、固定用部材として埋込み金具２２が埋め込まれたプランター収容パネル２０を、上下，左右に連続配置させて断面略階段状に形成されている。化粧堰板３のプランター収容溝２１の長手方向の両側には、側板（図示せず）が設けられてプランター７がずれないようになっている。化粧堰板３の下端は、基礎コンクリート５０から突出させられている連結鉄筋１１１に金具１１２により取り付けられて、コンクリート打設用型枠の強度を向上させるようにしている。
なお、プランター収容溝２１を有するプランター収容パネル２０を上下，左右に連続配置して化粧堰板３を形成するほか、表面に化粧模様を施すとともに、裏面の適宜位置に固定用部材として埋込み金具２２が設けられた化粧パネルを用いて、プランター収容パネル２０と化粧パネルとを適宜混ぜ合わせて（例えば、プランター収容パネル２０を千鳥状に配置）上下，左右に連続配置させて化粧パネル３を構築してもかまわない。
【００１６】
また、プランター収容パネル２０のコンクリート打設側の上端に設けられた保持孔２０ｂと、保持孔２０ｂと相対する位置に設けられたＰＣ埋込みパネル１０の保持孔１０ｃとの間に支持部材８が架け渡されており、プランター収容パネル２０を積み重ねる際に上段に積み重ねたプランター収容パネル２０を支持するすることができるようになっている。支持部材８としては、異形鉄筋，長方形のコンクリート板，木製の板材などを用いることができる。
なお、支持部材８は、上下位置に配置されたプランター収容パネル２０の下側のプランター収容パネル２０の上部と、上側のプランター収容パネル２０の底面との間にステーを設けるようにしてプランター収容パネル２０を支持するようにしてもかまわない。また、プランター収容パネル２０を連続配置させたときに、隣接配置されたプランター収容パネル２０を、例えば鋼板を略Ｌ字形や板状に形成した係止具で互いに連結するようにして、各プランター収容パネル２０を強く一体化するようにしてもかまわない。
【００１７】
図３に示すように、化粧堰板３を形成しているプランター収容パネル２０は、例えば、断面略Ｌ字状に形成されたプレキャストコンクリート部材で、プランター収容溝２１側の表面に化粧模様が施されているとともに、コンクリート打設面の埋込み堰板２と相対する面に凹部２０ａを有しており、凹部２０ａの四隅付近と中央付近とに、埋込み金具２２が埋め込まれている。また、プランター収容パネル２０のコンクリート打設面の上部の２ヶ所に、支持部材８の端部を差し込む保持孔２０ｂが設けられている。
プランター収容パネル２０のコンクリート打設側の上端面には連結突起２３ａが設けられ、プランター収容パネル２０の底面の前側縁部に嵌合孔２３ｂが設けられているとともに、側面の対向する位置に連結突起２４ａと嵌合孔２４ｂが設けられており、複数のプランター収容パネル２０で断面略階段状の化粧堰板３を構築する際にプランター収容パネル２０が強く連結できるようになっている。
【００１８】
プランター収容パネル２０は、コンクリートで形成されるほか、レジンコンクリート，ＦＲＰ，ＧＲＣ等により形成したり、上記コンクリート・レジンコンクリート・ＦＲＰ・ＧＲＣから選ばれた２種以上の材料を積層させて形成することができ、あらかじめ工場などで成形されて寸法精度の向上などが図られるようになっている。
なお、プランター収容パネル２０は、断面略Ｌ字状に限るものではなく、例えば図４に示すように、断面略Ｌ字状のプランター収容溝２１の長手方向の両縁部に連結用の延長鍔５６，５７を設けた形状に形成してもかまわない。
【００１９】
図５に示すように、プランター収容パネル２０の埋込み金具２２は、２つの断面略コ字形金具を背合わせに固定して断面略Ｈ字状に形成されており、一方の鍔部２２ａの相対する位置に連結金具４の外端を係止する係止穴２６が開けられているとともに、他方の鍔部２２ｂ側がプランター収容パネル２０の凹部２０ａに埋め込まれている。この埋込み金具２２は、その係止穴２６に連結金具４の外端を係止させるとともに、擁壁にコンクリートが打設される際に埋込み金具２２の周囲が打設されたコンクリートで覆われて、打設されたコンクリートとプランター収容パネル２０を強く一体化させることができる。なお、埋込み金具２２は、断面略Ｈ形状に一体形成された金具を使用してもよく、その場合、一方のフランジ部をプランター収容パネル２０の凹部２０ａに埋め込むとともに、他方のフランジ部に係止穴２６を開けるようにする。
【００２０】
埋込み堰板２と化粧堰板３との間の任意箇所には、両者の間隔を保持するとともに、両者を連結状態にしている連結金具４が設けられている。連結金具４は、図６に示すように、その２本の連結棒４ａ，４ｂのどちらか一方の外端が鉤形係止部５ａに形成されているとともに、他方の外端がネジ切りされたネジ部５ｂに形成され、２本の連結棒４ａ，４ｂの内端側が断面略く字形に曲げられた薄鋼板６の２つの長孔６ａに挿入され、薄鋼板６の弾性力により２本の連結棒４ａ，４ｂを圧着させている。
【００２１】
連結金具４は、その一方の外端に設けられた鉤形係止部５ａを、埋込み堰板２の各ＰＣ埋込みパネル１０を連結している格子状の鉄筋１６に係止するとともに、他方の外端に設けられたネジ部５ｂの先端を、化粧堰板３のプランター収容パネル２０の埋込み金具２２の鍔部２２ａに開けられた係止穴２６に差し込むとともにネジ部５ｂの先端にナットをねじ込んで係止できるようになっており、埋込み堰板２と化粧堰板３とを容易に連結でき、擁壁の型枠構築にかかる時間を短縮することができる。
なお、連結金具４の両方の外端を鉤形に形成して、連結金具４の鉤形の端部を埋込み金具２２の係止穴２６に引っ掛けるように係止してもかまわない。また、連結棒４ａ，４ｂの外端をねじ切りし、その端部を軸方向に長い六角ジョイントの一方の開口部にねじ込むとともに、長棒の基端に六角ジョイントにねじ込むネジ部を有し、その先端に鉤形係止部やネジ部が設けられた連結棒の基端側を前記六角ジョイントの他方の開口部にねじ込むようにして、連結棒４ａや連結棒４ｂを伸長して長さ調節できるようにしてもよい。この場合、六角ジョイントを回動させて長さを微調整できるようにすることができる。
【００２２】
上記構成の埋込み堰板２と化粧堰板３および連結金具４を用いて植栽可能な擁壁１を構築するとともに擁壁１に草木を植栽するには、擁壁の基礎コンクリート５０の地山の斜面側の基部に、各ＰＣ埋込みパネル１０を上下，左右に連続配置させるとともに連結部材１３で連結した埋込み堰板２を起立させ、埋込み堰板２から所定間隔を開けた相対する位置の基礎コンクリート５０上に、複数のプランター収容パネル２０を配置して、埋込み堰板２の格子状の鉄筋１６とプランター収容パネル２０の埋込み金具２２との間の相対する位置の任意箇所に、連結金具４の２本の連結棒４ａ，４ｂの外端を係止して互いに連結する。
このとき、連結金具４は、薄鋼板６の両端部を掴んで薄鋼板６を略く字形に折り曲げ、各連結棒４ａ，４ｂの圧着を緩めて２本の連結棒４ａ，４ｂの間隔を調節し、鉤形係止部５ａやネジ部５ｂを鉄筋１６や埋込み金具２２に係止したところで薄鋼板６を元に戻して連結棒４ａ，４ｂを圧着させて化粧堰板３と埋込み堰板２を連結し、コンクリート打設時のコンクリートの側圧に対抗する。
【００２３】
次に、プランター収容パネル２０のコンクリート打設側の上端に設けられた保持孔２０ｂと、ＰＣ埋込みパネル１０に設けられた保持孔１０ｃとの間に支持部材８を架け渡し、１段目のプランター収容パネル２０の上にプランター収容パネル２０を積み重ねて支持部材８で上方のプランター収容パネル２０を支持させ、積み重ねたプランター収容パネル２０と埋込み堰板２との間を連結金具４で連結するようにする。上記のようにして、所定段数のプランター収容パネル２０を積み重ねて化粧堰板３を構築したところで、化粧堰板３と埋込み堰板２の間にコンクリートを打設して植栽可能な擁壁１が完成する。
【００２４】
なお、植栽可能な擁壁１は、プランター収容パネル２０を１段もしくは複数段配置するごとにコンクリートを打設したり、プランター収容パネル２０とＰＣ埋込みパネル１０とを１段もしくは複数段設置するごとにコンクリート打設したりして、段毎に締め固めながら構築してもかまわない。特に、１段毎に締め固めながら構築した場合は、打設したコンクリートの上にプランター収容パネル２０を配置しながら施工でき、プランター収容パネル２０を支持している支持部材８を設けずに施工することができる。
【００２５】
植栽可能な擁壁１の表面のプランター収容溝２１には、任意の場所であらかじめ草木を植栽して、草木が根付いているプランター７を配置して擁壁１の緑化を図ることができる。プランター７に植栽された草木が枯れた場合や草木を変更したい場合には、該当するプランター７をプランター収容溝２１から撤去して、新たに草木を植栽したプランターを配置することができる。
【００２６】
次に、本発明の第２の実施の形態を図７〜図１８により説明する。
本実施の形態は、網目開口がコンクリートの流出防止形状である長方形状の金網で構成された埋込み堰板と、プランター収容溝を有するプランター収容パネルおよび表面に化粧模様が施された化粧パネルを適宜組み合わせてプランター収容パネルが千鳥状に配置された化粧堰板とでコンクリート打設用の型枠が構築されており、擁壁内に、擁壁の背面に溜まった雨水などを排水する水抜きパイプが設けられ、水抜きパイプの任意位置が化粧パネルの表面に設けられた給水口に接続された植栽可能な擁壁である。
【００２７】
図７に示すように、切土や盛土などをして設けられた地山の斜面に構築されるコンクリート製の植栽可能な擁壁を施工するコンクリート打設用の型枠Ｂは、擁壁の基礎コンクリート５０の地山の斜面側の基部に埋込み堰板６２が起立させられているとともに、埋込み堰板６２から所定間隔離した相対する位置の基礎コンクリート５０上に、その表面の適宜位置にプランター収容溝８１を有する化粧堰板６３が起立させられており、埋込み堰板６２と化粧堰板６３とが連結金具６４で連結されて両堰板が連結されているとともに、両堰板の間隔が所定間隔に保持されている。ところで、基礎コンクリート５０と擁壁とを同時に施工するときは、両堰板を基礎コンクリート５０用の鉄筋５０ａに固定するようにする。
【００２８】
また、埋込み堰板６２の複数箇所に設けられている排水孔９１に排水パイプ９２の後端が接続され、排水パイプ９２の前端に、施工される擁壁内に上下方向に配置された補強パイプ９３が連結されて水抜きパイプ９０が構成されているとともに、水抜きパイプ９０の任意位置が化粧堰板６３の表面のプランター収容溝８１付近に設けられた給水口８９にパイプ６９を介して接続されている。
なお、型枠Ｂにコンクリートを打設し、コンクリートの養生後、化粧堰板６３のプランター収容溝８１内に、草木などが植栽されたプランター６７が配置され、擁壁の背面に溜まった雨水などを化粧堰板６３のプランター収容溝８１に設けられたプランター６７に給水できるようになっている。プランター６７は、上記第１の実施の形態で使用したものを用いることができる。
ところで、排水パイプ９２や補強パイプ９３を用いずに、埋込み堰板６２の各排水孔９１と化粧堰板６３の各給水口８９とのそれぞれの間に１本のパイプを接続するようにして、擁壁の背面に溜まった雨水などをプランター収容溝８１に設けられたプランター６７に給水できるようにもかまわない。
【００２９】
斜面側に設けられた埋込み堰板６２は、図８、図９に示すように、網目開口がコンクリートの流出防止形状である長方形状の金網７１からなる金網埋込みパネル７０が上下，左右に適数枚配置され、各金網埋込みパネル７０に連結部材として格子状鉄筋７５を係止させて、各金網パネル７０を連結させて構成されている。金網７１は、その周縁部に凹溝７１ｂが設けられているとともに、その平面部に格子状に凹溝７１ｂが設けられており、各金網７１の周縁部の凹溝７１ｂを互いに重ね合わせて配置されている。また、金網７１の四隅は切欠きが設けられており、後記する格子状鉄筋７５の横筋７５ａ，縦筋７５ｂの交差部分が、金網７１の四隅に配置できるようになっている。また、埋込み堰板６２の金網部分の複数箇所には、適宜間隔で排水孔９１が設けられており擁壁の背面に溜まった雨水などを水抜きパイプ９０やパイプ６９を介して擁壁の前面下部の給水口８９へ排水することができるようになっている。
なお、各金網パネル７０を連結している連結部材は、格子状鉄筋に限るものではない。
【００３０】
また、図１０（ａ）に示すように、最下段の金網埋込みパネル７０の下端から突出させられている格子状鉄筋７５の各縦筋７５ｂの下端を、擁壁の基礎コンクリート５０の地山の斜面側の基部の鉄筋５０ａに溶接などにより固定して、埋込み金網パネル７０を上下，左右に連続配置させて形成した埋込み堰板６２が基礎コンクリート５０の基端側に起立させられている。このとき、図８に示すように、金網埋込みパネル７０の金網７１の凹溝７１ｂの凹部が外側を向くように（凹部７１ｂに嵌合する格子状鉄筋７５が斜面側になるように）金網埋込みパネル７０を連続配置して格子状鉄筋７５で連結することにより埋込み堰板６２が基礎コンクリート５０の上に起立させられる。なお、最下段の金網埋込みパネル７０に嵌合されている格子状鉄筋７５は、縦筋７５ｂが下方に延長されているとともに、横筋７５ａが１本多く設けられており、金網埋込みパネル７０との嵌合を強くしている。
【００３１】
さらに、図１０（ｂ）に示すように、最下段の金網埋込みパネル７０の凹部７１ｂに嵌合される連結鉄筋５１を基礎コンクリート５０の地山の斜面側の基部に設けるようにして、連結鉄筋５１を最下段の金網埋込みパネル７０の下方の凹部７１ｂに嵌合して金網埋込みパネル７０を基礎コンクリート５０上に起立させるようにしてもよい。この場合、連結鉄筋５１の縦筋５１ｂの下端が基礎コンクリートの地山の斜面側の鉄筋５０ａに溶接などにより固着されて基礎コンクリート５０の鉄筋５０ａから起立させられるとともに、縦筋５１ａの上端に略山形状の湾曲部が突部を外側に向けて設けられ、その湾曲部の凹部に横筋５１ａを係止して埋込みパネル７０の凹部７１ｂに嵌合される係止部が構成される。なお、連結鉄筋５１には、異形鉄筋を用いることができる。
【００３２】
上記金網７１は、図１１（ａ）、（ｂ）に示すように、金属板に横方向に切り込みが平行に、かつ一段ごとに１ピッチずらして多数設けられ、これを縦方向に引伸ばすことにより各切込みが開かれた網目開口７１ａとして多数形成されている。また、この網目開口７１ａは、上下の切込み間が同方向に約４５°傾斜した傾斜部７２に形成されている。これは、図１１（ｃ）に示すように、金網７１に上記切込みを入れる際に、固定刃と、内側が角形に突出して矢印方向に移動する移動刃とが使用され、そのため切込みの内側が折り曲げられ、その後に前記のように引伸ばされて、傾斜部７２が折り曲げ部７３を有する断面く字形になるように形成されるからである。
【００３３】
かかる金網７１を金網埋込みパネル７０金網埋込みパネル７０に用いる際には、上記傾斜部７２が金網埋込みパネル７０の外側を向くように（使用状態において地山の斜面側を向くように）取り付けることにより、コンクリートが上記網目開口７１ａから流出しないようにでき、打設されたコンクリートと金網１１とを強く一体化させることができる。また、金網７１に設けられる凹溝７１ｂは、その凹部が地山の斜面側を向くように設けられる。
そして、金網埋込みパネル７０の金網７１の凹溝７１ｂに嵌合できるように、横筋７５ａと縦筋７５ｂを格子状に組み合わせて成形した格子状鉄筋７５が、複数枚の金網埋込みパネル７０に掛かるような位置に配置され、格子状の凹溝７１ｂに格子状鉄筋７５を嵌合させて各金網埋込みパネル７０を連結している。
【００３４】
図１２に示すように、金網７１の凹溝７１ｂに嵌合される格子状鉄筋７５は、例えば、異形鉄筋を用いた３本の横筋７５ａと３本の縦筋７５ｂとを格子状に組み合わせたもので、金網７１の凹溝７１ｂの格子の幅に合うように各横筋７５ａ，縦筋７５ｂの間隔が調整されている。格子状鉄筋７５は、横筋７５ａと縦筋７５ｂの両者が格子状の凹溝７１ｂに嵌合できるように、横筋７５ａと縦筋７５ｂとの交差部分において縦筋７５ｂが同一方向に略山形状に湾曲されており、縦筋７５ｂの湾曲部分の各凹部内に横筋７５ａが係止されて横筋７５ａと縦筋７５ｂとの面位置が合うようになっている。
【００３５】
本実施の形態では、金網埋込みパネル７０の直交する２辺から格子状鉄筋７５の端部が突出するように格子状の升目をずらすとともに、縦筋７５ｂの略山形状の突出部分を外側にして、格子状鉄筋７５を金網埋込みパネル７０の凹溝７１ｂに嵌合するようにしている。このようにして、格子状鉄筋７５の突出部分を隣接する金網埋込みパネル７０の凹溝７１ｂに嵌合させ、嵌合した格子状鉄筋７５に隣接するようにして、格子状の升目をずらしながら格子状鉄筋７５を金網埋込みパネル７０に嵌合していくことにより上下，左右に適数枚の格子状鉄筋７５が連続配置され、上下，左右に適数枚配置されている各金網埋込みパネル７０を連結することができる。
また、連続配置させた格子状鉄筋７５の各横筋７５ａの相対する端部と各縦筋７５ｂの相対する端部とに、断面半円形状の筒状部材の長手方向の縁端部に鍔を設けた連結具７６が嵌合されて横筋７５ａ同士と縦筋７５ｂ同士を継ぎ合わせている。なお、鍔に孔を設けて、その孔に針金などを通して金網７１に係止し、格子状鉄筋７５が金網７１から外れないようにしてもよい。
【００３６】
なお、埋込みパネルは長方形状のほか、平面略Ｈ形状に形成して、その周縁部と平面部とに格子状に凹溝を設けるようにして埋込みパネルを構成し、そのＨ型の凹部と突部を互いに組み合わせて埋込みパネルを連続配置させ埋込み堰板を構成するようにしてもよく、この場合、組み立てた状態において各埋込みパネルがより強く連結するようになる。また、格子状の凹溝を設けた枠組みを成形し、その枠組みに上記金網を張るようにして、埋込みパネルを構成してもよい。
また、埋込み堰板は、上記第１の実施の形態のＰＣ埋込みパネルを用いて、ＰＣ埋込みパネルを上下，左右に連続配置して格子状の鉄筋で連結するようにして形成してもかまないし、図１３に示すように、コンクリート打設面に凹部７８ａを有する略長方形状のＰＣ板の凹部７８ａの四隅付近と中央付近とに、固定用部材として上記第１の実施の形態のプランター収容パネル２０に用いられた埋込み金具２２と同じ形状の埋込み金具７９を埋め込んだＰＣ埋込みパネル７８を上下，左右に連続配置して形成してもかまわない。ＰＣ埋込みパネル７８は、その側面の対向する位置に連結突起７８ｂと連結孔７８ｃを有しており、ＰＣ埋込みパネル７８を連続配置させる際にそれぞれが強く連結できるようになっているとともに、適宜位置に排水パイプ９２が接続される排水孔７８ｄを有している。
【００３７】
図７（ｂ）に示すように、埋込み堰板６２から所定間隔を開けた基礎コンクリート５０上に相対して起立させられているプランター収容溝８１を有する化粧堰板６３は、コンクリート打設面とは反対側に、プランター６７を設置するプランター収容溝８１を有するとともに、コンクリート打設面の埋込み堰板６２と対向する面に、固定用部材として埋込み金具８２が埋め込まれたプランター収容パネル８０と、表面に化粧模様が施され背面に固定部材として埋込み金具８２が取り付けられた化粧パネル１００とが、プランター収容パネル８０が千鳥状に配置されるように、上下，左右に連続配置されて形成されている。
また、化粧堰板６３の各プランター収容パネル８０には、そのプランター収容溝８１の上部に給水口８９が開けられており、水抜きパイプ９０の任意位置に接続されたパイプ６９の端部が接続できるようになっている。
【００３８】
図１４に示すように、プランター収容パネル８０は、例えば、略長方形状のＰＣ板の中程に断面略Ｌ字状でプランターを略水平に配置するプランター収容溝８１が設けられたプレキャストコンクリート部材で、表面に凹凸模様などの化粧が施されているとともに、プランター収容溝８１の背面のコンクリート打設面の埋込み堰板６２と相対する面に凹部８０ａを有しており、凹部８０ａの四隅付近に、埋込み金具８２が埋め込まれている。埋込み金具８２は、凹部８０ａから突出している鍔部８２ａに２つの係止穴８３を有しており、連結金具６４の端部を係止できるようになっている。
プランター収容パネル８０の側面の相対する位置には、連結突起８４と嵌合孔８５が設けられて、複数のプランター収容パネル８０と化粧パネル１００とで化粧堰板６３を構築する際にそれぞれが強く連結できるようになっている。
【００３９】
図１５に示すように、化粧パネル１００は、例えば、表面に凹凸模様などの化粧を施した略長方形状のＰＣ化粧板で、背面の凹部１００ａの四隅付近と中央付近とに埋込み金具８２が埋め込まれているとともに、相対する側面の対向する位置に連結突起１００ｂと嵌合孔１００ｃが設けられて、複数のプランター収容パネル８０と化粧パネル１００で化粧堰板６３を構築する際にそれぞれが強く連結できるようになっている。また、化粧パネル１００のコンクリート打設側の上端には保持孔１００ｄが設けられており、保持孔１００ｄに対向する位置の金網埋込みパネル７０を連結している格子状鉄筋７５との間に支持部材６８を架け渡して支持部材６８で上方のプランター収容パネル８０を支持させることができるようになっている。支持部材６８は、鉄筋などを使用することができ、格子状鉄筋７５側が鉤形に形成されて格子状鉄筋７５を係止できるようになっている。
なお、図１６に示すように、隣接配置されたプランター収容パネル８０や化粧パネル１００の連結部分の相対する位置に継手９８を設け、相対する継手９８で短めに形成された鉄筋９９を係止して、隣接配置されたプランター収容パネル８０，化粧パネル１００を連結するようにしてもかまわない。継手９８としては、上記第１の実施の形態のＰＣ埋込みパネル１０に使用されている固定金具１４を用いることができる。
【００４０】
プランター収容パネル８０と化粧パネル１００は、コンクリートで形成されるほか、レジンコンクリート，ＦＲＰ，ＧＲＣ等により形成したり、上記コンクリート・レジンコンクリート・ＦＲＰ・ＧＲＣから選ばれた２種以上の材料を積層させて形成することができ、あらかじめ工場などで成形されて寸法精度の向上などが図られるようになっている。なお、プランター収容パネル８０や化粧パネル１００は、平面略Ｈ形状に形成することも可能である。
また、プランター収容パネル８０と化粧パネル１００の埋込み金具８２は、
上記第１の実施の形態のプランター収容パネル２０に用いられた埋込み金具２２と同じ形状のものが用いられており、断面略Ｈ字状の一方の鍔部８２ａの相対する位置に連結金具６４の外端を係止する係止穴８３が開けられているとともに、他方の鍔部がプランター収容パネル８０と化粧堰板１００の凹部８０ａ，１００ａに埋め込まれている。この埋込み金具８２は、その係止穴８３に連結金具６４の外端を係止させるとともに、擁壁にコンクリートが打設される際に埋込み金具８２の周囲が打設されたコンクリートで覆われて、打設されたコンクリートとプランター収容パネル８０を強く一体化させることができる。
【００４１】
埋込み堰板６２と化粧堰板６３との間の任意箇所には、第１の実施の形態と同様に、連結金具６４が設けられて両者を連結している。連結金具６４は、２本の連結棒６４ａ，６４ｂのどちらか一方の外端が鉤形係止部に形成されて、埋込み堰板６２の各金網埋込みパネル７０を連結している格子状鉄筋７５を係止するとともに、他方の外端がネジ切りされたネジ部に形成されて、プランター収容パネル８０の埋込み金具８２を係止するようになっており、２本の連結棒６４ａ，６４ｂの内端側が断面略く字形に曲げられた薄鋼板６６に設けられている２つの長孔に挿入され、薄鋼板６６の弾性力により２本の連結棒６４ａ，６４ｂを圧着させることができる。
【００４２】
コンクリート打設用の型枠Ｂ内に配置される前記の水抜きパイプ９０は、埋込み堰板６２の各排水溝９１に接続されて埋込み堰板６２から擁壁の厚さ方向の中央部に向かう排水パイプ９２と、格子状に形成されるとともに排水パイプ９２からの排水を擁壁の上部から下部へ導く補強パイプ９３とからなり、各排水パイプ９２の後端が継手９４を介して格子状の補強パイプ９３の各交差部分に連結され、排水パイプ９２と補強パイプ９３は連通状態にされて、擁壁の背面側の排水が排水孔９１から排水パイプ９２を通って補強パイプ９３に流入されるようになっている。なお、排水パイプ９２を前記のように配置して固定するためには、針金などにより埋込み堰板６２の金網７１に保持させるようにしてもよいし、排水パイプ９２の後端の外周にフランジ部を設け、フランジ部を金網７１に係止させるようにしてもよい。また各排水パイプ９２の埋込み堰板６２側の端部内には、図示を省略したが、それぞれフィルターを設け、擁壁の背面側の土砂がパイプ内に流入しないようにしている。
また、水抜きパイプ９０の格子状の補強パイプ９３の適宜位置数カ所がそれぞれ継手９４を介してパイプ６９の後端に連結されて、両パイプ９２，９３は互いに連通され、パイプ６９の前端が化粧堰板６３に設けられた給水口８９に連結されて、擁壁の背面に溜まった雨水などを給水口８９に導くことができるようになっている。排水パイプ９２、パイプ６９は共に前下がりに傾斜して配置されている。
【００４３】
格子状の補強パイプ９３は、例えば図１７に示すように、各補強パイプ９３ａが交差する位置に１つの端面が閉鎖された略円筒状に形成された継手９４が設けられており、継手９４に対して各補強パイプ９３ａの一端が角度調整可能に連結されており、各継手９４の埋込み堰板６２側に排水パイプ９２の後端が角度調整可能に連結されているとともに、補強パイプ９３の適宜位置の継手９４の化粧堰板６３側にパイプ６９の後端が角度調整可能に連結されている。
なお、パイプ６９が連結された継手９４は、その継手９４に集まった雨水などがパイプ６９に効率よく流れるように、パイプ６９が接続された継手９４とその継手９４の下部に接続されている補強パイプ９３ａとの間にストッパーが設けられている。また、パイプ６９が接続された継手９４には、その継手９４の下部に補強パイプ９３ａを接続しないようにすることも可能である。
【００４４】
上記では複数の補強パイプ９３ａを継手９４を介して１区画が菱形の格子状に連結したが、必ずしも同形状の格子状にしないで、各補強パイプ９３の適宜位置を互いに継手を介して連結した構成にしてもよく、また、排水パイプ９２とパイプ６９を継手を介することなく単一の補強パイプ９３の両端に連結したり、排水パイプ９２と単一の補強パイプ９３とパイプ６９を１つのパイプで構成することも可能である。
補強パイプ９３の上下端に排水パイプ９２とパイプ６９を連結した状態では、それ自身で所定位置に組立てた埋込み堰板６２と化粧堰板６３の間に起立させ、あるいは針金などで固定させられるので、そのままコンクリート打設してそれら排水パイプ９２，パイプ６９や補強パイプ９３をコンクリート内に埋設させることができる。
なお、排水パイプ９２とパイプ６９は、擁壁を構成するコンクリート内に埋め込まれることにより、それらがコンクリートの補強鉄筋として機能するようになっている。
また、排水パイプ９２，パイプ６９，補強パイプ９３及び継手９４は、錆びにくい金属（例えば一般構造用炭素鋼鋼管、配管用炭素鋼鋼管）、又は合成樹脂（例えば硬質塩化ビニール、高密度ポリエチレン、ポリプロピレン等の熱可塑性樹脂）で作製され、コンクリート内で腐食に対する耐久性があるようにした。なお排水パイプ９２，パイプ６９や補強パイプ９３を金属で作成する場合は、鋳型工法や引き抜き工法により製造し、それらを合成樹脂で作成する場合は、射出成型工法、ブロー成型工法や異型押し出し工法により製造する。
【００４５】
上記構成の埋込み堰板６２，化粧堰板６３や連結金具６４を使用して植栽可能な擁壁６０を構築するとともに擁壁６０に草木を植栽するには、擁壁の基礎コンクリート５０の地山の斜面側の基部に、埋込み金網パネル７０を上下，左右に連続配置させるとともに、格子状鉄筋７５で各金網埋込みパネル７０を連結した埋込み堰板６２を起立させる。そして、埋込み堰板６２から所定間隔を開けた相対する位置の基礎コンクリート５０上に、プランター収容パネル８０と化粧パネル１００を交互に配置し、埋込み堰板６２の格子状鉄筋７５とプランター収容パネル８０，化粧パネル１００の埋込み金具８２との間の相対する位置の任意箇所に、連結金具６４の２本の連結棒６４ａ，６４ｂの外端を係止して互いに連結するとともに、化粧パネル１００の保持孔１００ｄと保持孔１００ｄに対向する位置の格子状鉄筋７５とに支持部材６８を架け渡す。このとき、連結金具６４は、上記第１の実施の形態と同様に、薄鋼板６６で各連結棒６４ａ，６４ｂを圧着させて化粧堰板６３と埋込み堰板６２を連結してコンクリート打設時のコンクリートの側圧に対抗する。
なお、埋込み堰板６２の各排水溝９１に排水パイプ９２を接続し、各排水パイプ９２を、格子状に連通連結された補強パイプ９３に接続して水抜きパイプ９０を組み立て、水抜きパイプ９０の下端の任意位置とプランター収容パネル８０の給水口８９とをパイプ６９で連結して、擁壁６０の背面に溜まった雨水などをプランター収容パネル８０のプランター６７に給水できるようにする。
【００４６】
次に、１段目のプランター収容パネル８０の上に化粧パネル１００を化粧パネル１００の上にプランター収容パネル８０を設置して、プランター収容パネル８０が千鳥状に配置されるようにしてプランター収容パネル８０，化粧パネル１００を積み重ね、積み重ねたプランター収容パネル８０，化粧パネル１００と埋込み堰板２との間を連結金具６４で連結し、化粧パネル１００と格子状鉄筋７５間に支持部材６８を架け渡するようにする。このとき、上段のプランター収容パネル８０は、化粧パネル１００の保持孔１００ｄと、保持孔１００ｄに対向する位置の格子状鉄筋７５との間に架け渡された支持部材６８で支持される。また、水抜きパイプ９０の任意位置とプランター収容パネル８０の給水口８９とをパイプ６９で連結する。
上記のようにして、所定段数になるまでプランター収容パネル８０，化粧パネル１００を積み重ねて、プランター収容パネル８０が千鳥状に配置された化粧堰板６３を構築したところで、化粧堰板６３と埋込み堰板６２の間にコンクリートを打設して養生を行い植栽可能な擁壁６０が完成する。
【００４７】
なお、植栽可能な擁壁６０は、プランター収容パネル８０，化粧パネル１００を１段もしくは複数段配置するごとにコンクリートを打設したり、プランター収容パネル８０，化粧パネル１００と金網埋込みパネル７０とを１段もしくは複数段設置するごとにコンクリート打設したりして、段毎に締め固めながら構築してもかまわない。特に、１段毎に締め固めながら構築した場合は、打設したコンクリートの上にプランター収容パネル８０，化粧パネル１００を配置しながら施工でき、プランター収容パネル８０を支持している支持部材６８を設けずに施工することができる。
【００４８】
植栽可能な擁壁６０の表面に千鳥状に配置されたプランター収容溝８１には、任意の場所であらかじめ草木を植栽して、草木が根付いているプランター６７を配置して擁壁６０の緑化を図ることができる。プランター６７に植栽された草木が枯れた場合や草木を変更したい場合には、該当するプランター６７をプランター収容溝８１から撤去して、新たに草木を植栽したプランターを配置することができる。また、プランター６７には、水抜きパイプ９０，パイプ６９を介してプランター収容パネル８０の給水口８９から、擁壁の背面に溜まった雨水などを給水することができる。
なお、第２の実施の形態の金網埋込みパネル７０を用いた埋込み堰板６２は、第１の実施の形態の埋込み堰板として利用することも可能である。
【００４９】
【発明の効果】
本発明の擁壁の植栽方法と植栽可能な擁壁は、埋込み堰板と、表面にプランター収容溝を有する化粧堰板とを所定間隔で相対させ、両者の間を連結金具で連結したコンクリート打設用型枠にコンクリートを打設して構築した擁壁の化粧堰板の表面のプランター収容溝に草木が植栽されたプランターを交換可能に配置しているので、擁壁の構築後の草木の植栽を迅速に行なって施工期間を短縮することができ、プランターを適宜期間で交換して草木の育成を常に良好に保つことがで、また周囲の景観を定期的に変化させることもできるとともに、その際の草木の交換を迅速に行なうことができる。また、擁壁の構築中にプランターに植栽することができるので、確実に根付いたものを配置することができる。
【００５０】
また、埋込み堰板と化粧堰板とを連結金具で連結したコンクリート打設用型枠にコンクリートを打設し、コンクリートの養生を行なうだけで表面にプランター収容溝を有する擁壁が完成するので、プランター収容溝を有する擁壁の構築に要する工事期間の短縮や省力化を図ることができ、組み立てに熟練を要することなく植栽可能な擁壁の型枠を構築することができる。この植栽可能な擁壁は、表面のプランター収容溝に草木が植栽されたプランターを配置するだけで、容易に擁壁の緑化を行なうことができる。
【００５１】
埋込み堰板と化粧堰板とは、上下，左右に連続配置したＰＣ埋込みパネル，金網埋込みパネルやプランター収容パネル，化粧パネルを連結して強い堰板としているし、両堰板は、それらの間に打設したコンクリートと一体化して擁壁の構造躯体となるので、従来の擁壁よりも強いものになるほか、コンクリート硬化後の型枠解体作業が不要なので、作業工程が少なくなる。
また、木製の型枠を使用しないので、天然資源の保護に役立つものであり、型枠の解体作業が行なわれずそれに伴う廃材が出ないので、廃棄物処理に要するコストがかからないし、廃棄物減少にも役立つものとなる。
【００５２】
プランター収容パネルと化粧パネルは、コンクリート、レジンコンクリート、ＦＲＰ、ＧＲＣから選ばれた１種により一層に形成されたパネルや、上記の中から２種以上の材料を用いて多層に形成したパネルを使用することができるので、いろいろな施工現場にあったパネルを選択でき、擁壁表面の強度の向上や美観の向上を図ることができる。また、ＰＣ埋込みパネルを、コンクリート、レジンコンクリート、ＦＲＰ、ＧＲＣから選ばれた１種により形成した場合は、強度の高い埋込み堰板を得ることができるとともに、施工現場にあったパネルを選択することができ、金網埋込みパネルの網目開口がコンクリートの流出防止形状である金網は、その網目開口の傾斜部に打設されたコンクリートが入り込んで、金網とコンクリートが強く一体化され、擁壁の構造躯体となる。
【００５３】
さらに、プランター収容溝に設けられるプランターを、発泡性樹脂で形成して、擁壁のコンクリートに蓄積される熱を遮断してプランター内部の土が乾燥しにくくしたり、擁壁の背面に溜まった雨水などを排水する水抜きパイプの任意位置と、化粧堰板の表面のプランター収容溝付近に設けられた給水口とをパイプを介して接続して、化粧堰板のプランター収容溝に設けられたプランターに給水できるようにした場合は、水やりなどのメンテナンスが容易で植栽に良好なものとなる。
【図面の簡単な説明】
【図１】本発明の実施の形態を示す一部断面説明図である。
【図２】ＰＣ埋込みパネルの斜視図（ａ）と、係止金具の正面図（ｂ）である。
【図３】プランター収容パネルの正面図（ａ）と、背面図（ｂ）と、側面図（ｃ）である。
【図４】プランター収容パネルに延長鍔を設けた場合を示す斜視図である。
【図５】埋込み金具の取付部分の拡大説明図である。
【図６】連結金具の平面図（ａ）と、正面図（ｂ）である。
【図７】本発明の第２の実施の形態を示す一部断面側面説明図（ａ）と、正面説明図（ｂ）である。
【図８】埋込み堰板の形成状況を示す正面説明図である。
【図９】埋込みパネルの平面図（ａ）と、側面図（ｂ）である。
【図１０】埋込みパネルを基礎コンクリートに起立させたときの状況を示す断面説明図（ａ）と、基礎コンクリートに連結鉄筋を起立させたときの状況を示す断面説明図（ｂ）である。
【図１１】金網の平面説明図（ａ）と、断面説明図（ｂ）。金網の網目開口を形成する状況を示す部分説明図（ｃ）である。
【図１２】格子状鉄筋の平面図（ａ）と、側面図（ｂ）である。
【図１３】埋込み金具を有するＰＣ埋込みパネルの斜視図である。
【図１４】プランター収容パネルの正面図（ａ）と、背面図（ｂ）と、側面図（ｃ）である。
【図１５】背面に埋込み金具が設けられた化粧パネルの斜視図である。
【図１６】プランター収容パネルと化粧パネルの連結部分の拡大説明図である。
【図１７】格子状に連結された補強パイプの正面図である。
【符号の説明】
１  擁壁
２  埋込み堰板
３  化粧堰板
４  連結金具
７  プランター
１０  ＰＣ埋込みパネル
１３  連結部材
２０  プランター収容パネル
２１  プランター収容溝
５０  基礎コンクリート
６０  擁壁
６２  埋込み堰板
６３  化粧堰板
６４  連結金具
７０  金網埋込みパネル
８０  プランター収容パネル
８１  プランター収容溝
９０  水抜きパイプ
１００  化粧パネル
【図１】
0003586020.tif 000002
【図２】
0003586020.tif 000003
【図３】
0003586020.tif 000004
【図４】
0003586020.tif 000005
【図５】
0003586020.tif 000006
【図６】
0003586020.tif 000007
【図７】
0003586020.tif 000008
【図８】
0003586020.tif 000009
【図９】
0003586020.tif 000010
【図１０】
0003586020.tif 000011
【図１１】
0003586020.tif 000012
【図１２】
0003586020.tif 000013
【図１３】
0003586020.tif 000014
【図１４】
0003586020.tif 000015
【図１５】
0003586020.tif 000016
【図１６】
0003586020.tif 000017
【図１７】
0003586020.tif 000018